【手続補正書】
【提出日】平成18年3月1日(2006.3.1)
【手続補正１】
【補正対象書類名】明細書
【補正対象項目名】特許請求の範囲
【補正方法】変更
【補正の内容】
【特許請求の範囲】
【請求項１】  １次識別データを含み、タグ（12）の１次ベアラ（14）に関連する１次電子タグ（12）と、
１次識別データと関連する２次識別データを含み、タグ（16）の２次ベアラ（18）に関連する２次電子タグ（16）と、
１次電子タグ（12）から１次識別データを遠隔的に読取り、２次電子タグ（16）から２次識別データを遠隔的に読取る読取り装置（20）と、
２次識別データと１次識別データとを比較し、比較結果に応じて出力信号を発生する比較手段（26）とを含んでいることを特徴とする監視システム。
【請求項２】  １次電子タグ（12）に関連する複数の２次電子タグ（16）を含んでおり、各２次電子タグ（16）は、それ等２次電子タグが取付けられているベアラ（18）を識別し、１次識別データにより識別される２次識別データを含んでいることを特徴とする請求項１記載のシステム。
【請求項３】  １次電子タグ（12）は使用において人（14）によって運搬され、２次電子タグ（16）は２次取付け手段を含んでおり、この２次取付け手段は２次電子タグを貴重品の形態の２次ベアラ（18）に固定して取付けるように構成されていることを特徴とする請求項１または２記載のシステム。
【請求項４】  １次識別データは、ベアラ（14）が読取装置により監視される特定のゾーンから移動する権限を与えられている貴重品の目録を含んでおり、各貴重品は１次識別データにより識別される２次電子タグ（16）を含んでいることを特徴とする請求項３記載のシステム。
【請求項５】  １次電子タグ（12）のベアラ（14）がそのゾーンから貴重品（18）を移動する権限を与えられていないとき出力信号に応答して警報信号を発生する警報装置を含んでいることを特徴とする請求項４記載のシステム。
【請求項６】  制御信号に応答し、貴重品（18）が目録に含まれていない場合に人（14）がゾーンから離れることを選択的に禁止するように動作可能であるアクセス制御装置（24）を含んでいることを特徴とする請求項４または５記載のシステム。
【請求項７】  １次電子タグ（12）は、それを人間である１次ベアラ（14）へ取外し可能に取付けるように構成された１次取付け手段を含んでおり、２次電子タグ（16）は、それを人間である２次ベアラ（18）へ取外し可能に取付けるように構成された２次取付け手段を含んでいることを特徴とする請求項２記載のシステム。
【請求項８】  ２次識別データは１次電子タグ（12）のベアラ（14）の管理下で子供を識別し、１次および２次電子タグ（12、16）が読取り装置（20）によりカバーされた予め定められたゾーン内にはないときには比較装置は警報信号の形態の出力信号を発生することを特徴とする請求項７記載のシステム。
【請求項９】  公共区域の一部を形成している異なる予め定められたゾーンをそれぞれカバーしている複数の読取り装置（20）を含んでおり、比較装置（26）は１次識別データを処理するように動作され、１次識別データにより識別された全ての２次電子タグ（16）が、関連する読取り装置（20）によりカバーされている予め定められたゾーン内に位置されていることを確認し、位置されていないとき警報信号の形態の出力信号が発生されることを特徴とする請求項８記載のシステム。
【請求項１０】  少なくとも１つの選択されたビークル（18）を使用する権限を与えられた人（14）に対して使用のための１次電子タグ（12）が発行され、２次電子タグ（16）は選択されたビークル（18）に特有に関連付けされ使用のために取付けられ、出力信号は人（14）がそのビークル（18）を使用する権限を有するか否かを示していることを特徴とする請求項１または２記載のシステム。
【請求項１１】  出力信号に応答して使用時にビークル（18）の電子システムへ接続されビークルを選択的に動作不能にするように動作する手段（34）を含んでいることを特徴とする請求項１０記載のシステム。
【請求項１２】  １次および２次電子タグ（12、16）は識別データを断続的に送信するＲＦ送信機を含んだ能動タグであることを特徴とする請求項１乃至１１のいずれか１項記載のシステム。
【請求項１３】  １次および２次電子タグ（12、16）は無線により１次および２次識別データでプログラムされていることを特徴とする請求項１乃至１２のいずれか１項記載のシステム。
【請求項１４】  少なくとも２次電子タグ（16）は、タグ（16）の不正を検出するための不正検出手段を含んでいることを特徴とする請求項１乃至１３のいずれか１項記載のシステム。
【請求項１５】  １次電子タグ（12）の１次ベアラ（14）に対して発行された１次電子タグ（12）から１次識別データを読取り、
２次電子タグ（16）の２次ベアラ（18）に関連する２次電子タグ（16）から２次識別データを読取り、その２次識別データは２次ベアラの権限を与えられた移動を規定している１次識別データに関連付けされており、
２次識別データと１次識別データとを比較し、２次ベアラ（18）の選択されたゾーンからの移動を監視するステップを含んでいることを特徴とする読取装置により監視される選択されたゾーンからの移動を監視する方法。
【請求項１６】  ２次電子タグ（16）を貴重品（18）に固定して取付けるステップを含んでおり、それによって選択されたゾーンからの貴重品（18）の無許可の移動を監視することを特徴とする請求項１５記載の方法。
【請求項１７】  少なくとも１人の子供（18）を管理する人（14）に対して１次電子タグ（12）を発行し、
２次電子タグ（16）をその子供（18）に対して発行し、その２次電子タグ（16）は子供（18）を識別するための特有の識別データを含んでおり、それは断続的に送信され、
１次電子タグ（12）を１次識別データによりプログラムし、２次電子タグ（16）を２次識別データによりプログラムし、
子供（18）と管理者（14）が同一ゾーンにいないときに警報信号を発生するステップを含んでいることを特徴とする請求項１５記載の方法。
【請求項１８】  複数の子供（18）にはそれぞれ２次電子タグ（16）が発行されており、１次識別データは、それが関連される２次電子タグ（16）の目録を含んでいることを特徴とする請求項１７記載の方法。
【請求項１９】  ゾーンから１次および／または二次ベアラ（14、16）が離れることを選択的に禁止するために比較に応答してアクセス制御装置（24）の動作を制御することを特徴とする請求項１５乃至１８のいずれか１項記載の方法。
【請求項２０】  １次識別データを含んでいる１次電子タグ（12）を、特定のビークル（18）を運転する権限を与えられた人（14）に対して発行し、
読取装置と、１次識別データに関連された２次識別データを含んでいる２次電子タグ（16）とをビークル（18）に与え、
人（14）がビークルを占有しているとき、読取装置によって無線方法で１次および２次識別データを読取り、
１次および２次識別データを比較し、それによってビークル（18）の使用を監視するステップを含んでいることを特徴とする少なくとも１つのビークル（18）の使用を監視することを特徴とする少なくとも１つのビークルの使用を監視する方法。
【請求項２１】  比較に応答してビークル（18）を選択的に動作不能にすることを特徴とする請求項２０記載の方法。
【補正対象書類名】      明細書
【補正対象項目名】      ０００２
【補正方法】            変更
【補正の内容】
【０００２】
【従来の技術】
例えばトランスポンダタグ等の電子タグのような識別タグは市場で一般的に入手可能である。このようなタグはしばしば建物間のアクセスを制御するために従業員によって携帯される。しかしながら、このような従業員はごまかしを意図し、その場を離れるとき、例えばラップトップコンピュータ等の高価な製品のような選択された物品が盗まれる可能性がある。
【特許文献１】    米国特許第５，３９６，２１８号明細書